(57)【要約】【課題】タッチ面で発生した静電気が内部の電子部品に伝わることを防止できる表示装置を提供する。【解決手段】開口部２ａを有する意匠パネル２と、開口部２ａから表示面が臨む表示パネル６と、表示パネル６の表示面上に配置されて、周縁部にＦＰＣ４が接続されたタッチパネル３と、表示パネル６の背面側に接地されて組み付けられるフロントシャーシ１０と、タッチパネル３の背面側に向けてフロントシャーシ７から延設され、ＦＰＣ４よりもタッチパネル３の周縁部と意匠パネル２の開口部２ａとの境界部に近い位置まで突出した突出部１０ａとを備える。【選択図】図６
2014235512.tif 000002
【特許請求の範囲】
【請求項１】
開口部を有する筐体と、
前記開口部から表示面が臨む表示パネルと、
前記表示パネルの表示面上に配置されて、周縁部にフレキシブルプリント基板が接続されたタッチパネルと、
前記表示パネルの背面側に接地されて組み付けられるシャーシと、
前記タッチパネルの背面側に向けて前記シャーシから延設され、前記フレキシブルプリント基板よりも前記タッチパネルの周縁部と前記筐体の開口部との境界部に近い位置まで突出した突出部とを備える表示装置。
【請求項２】
前記突出部は、前記フレキシブルプリント基板よりも幅広の板状部であることを特徴とする請求項１記載の表示装置。
【発明の詳細な説明】
【技術分野】
【０００１】
この発明は、フレキシブルプリント基板（以下、ＦＰＣと記載する）を使用したタッチパネルが搭載された表示装置に関する。
【背景技術】
【０００２】
例えば、特許文献１には、タッチパネルを含む表示パネルと機器筐体内の基板との間をＦＰＣで電気的に接続した表示装置が開示されている。
【先行技術文献】
【特許文献】
【０００３】
【特許文献１】特開２０１２−１６５０５２号公報
【発明の概要】
【発明が解決しようとする課題】
【０００４】
近年では、機器の小型化の要望から、タッチパネルと機器内部の電子回路基板を電気的に接続するＦＰＣ上に集積回路（ＩＣ）を実装した電子機器もある。
特許文献１に代表される従来の技術では、機器の前面パネルとタッチパネルとの境界部からタッチ面上で発生した静電気がＦＰＣに伝わり、ＩＣに悪影響を与える可能性があるという課題があった。
【０００５】
この発明は、上記のような課題を解決するためになされたもので、タッチ面で発生した静電気が内部の電子部品に伝わることを防止できる表示装置を得ることを目的とする。
【課題を解決するための手段】
【０００６】
この発明に係る表示装置は、開口部を有する筐体と、開口部から表示面が臨む表示パネルと、表示パネルの表示面上に配置されて、周縁部にフレキシブルプリント基板が接続されたタッチパネルと、表示パネルの背面側に接地されて組み付けられるシャーシと、タッチパネルの背面側に向けてシャーシから延設され、フレキシブルプリント基板よりもタッチパネルの周縁部と筐体の開口部との境界部に近い位置まで突出した突出部とを備える。
【発明の効果】
【０００７】
この発明によれば、タッチ面で発生した静電気が内部の電子部品に伝わることを防止できるという効果がある。
【図面の簡単な説明】
【０００８】
【図１】この発明に係る表示装置を使用した電子機器の正面図である。
【図２】この発明に係る表示装置の分解斜視図である。
【図３】従来のフロントシャーシを示す斜視図である。
【図４】図１のＡ−Ａ線で切った従来の表示装置におけるフロントパネルとタッチパネルとの境界部の周辺の断面矢示図である。
【図５】この発明の実施の形態１に係る表示装置のフロントシャーシを示す斜視図である。
【図６】図１のＡ−Ａ線で切った実施の形態１に係る表示装置におけるフロントパネルとタッチパネルとの境界部の周辺の断面矢示図である。
【発明を実施するための形態】
【０００９】
実施の形態１．
図１は、この発明に係る表示装置を使用した電子機器の正面図である。また、図２は、この発明に係る表示装置の分解斜視図である。図１に示す電子機器１は、例えば、ナビゲーション装置などの車載用情報機器や、ディスプレイ付きのオーディオ装置に適用されている。電子機器１の意匠パネル２は、図２に示すように、開口部２ａを有した箱状の筐体であり、開口部２ａにタッチパネル３が配置され、タッチパネル３の背面側に板金フレーム５、表示パネル６、板金ホルダ７、回路基板８、ＦＰＣホルダ９およびフロントシャーシ１０が順に配置される。タッチパネル３は、タッチ面が意匠パネル２の開口部２ａから露出するよう配置され、その周縁部にＦＰＣ４が接続されている。また、板金フレーム５は、タッチパネル３の背面側に設置される。
【００１０】
表示パネル６は、液晶表示パネルや有機ＥＬ（Ｅｌｅｃｔｒｏ−Ｌｕｍｉｎｅｓｃｅｎｃｅ）パネルなどの表示パネルであり、板金フレーム５および板金ホルダ７に収容されて開口部２ａから表示面が臨むよう配置される。すなわち、表示パネル６は、その背面側が板金ホルダ７に保持される。回路基板８は、板金ホルダ７における表示パネル６とは反対側に設置されている。
【００１１】
ＦＰＣホルダ９は、ＦＰＣ４を保持する樹脂製のホルダであって、板金ホルダ７と回路基板８に跨がって設置される。ＦＰＣ４は、一端がタッチパネル３の周縁部に接続され、板金フレーム５および板金ホルダ７の外側に引き出され、他端がＦＰＣホルダ９に保持されて回路基板８に電気的に接続される。
フロントシャーシ１０は、表示パネル６の背面側に接地されて組み付けられる板金製のシャーシである。
【００１２】
図３は、従来のフロントシャーシを示す斜視図である。また、図４は、図１のＡ−Ａ線で切った従来の表示装置におけるフロントパネルとタッチパネルとの境界部の周辺の断面矢示図である。図３に示すように、従来のフロントシャーシ１０Ａは、略平板状の板金製のシャーシである。意匠パネル２からフロントシャーシ１０Ａまでの構造体は、フロントシャーシ１０Ａを介して電子機器１の本体部（不図示）に取り付けられる。
【００１３】
タッチパネル３の周縁部に一端が接続するＦＰＣ４は、図４（ａ）に示すように、板金フレーム５および板金ホルダ７の外側に引き出され、他端がＦＰＣホルダ９に保持されて回路基板８に電気的に接続される。また、タッチパネル３は、図４（ａ）に示すように、意匠パネル２の外側から開口部２ａに嵌合されて組み付けられる。
【００１４】
上述した従来の表示装置では、タッチパネル３のタッチ面上で静電気が発生した場合、図４（ｂ）の矢印ａで示すように、この静電気は、タッチパネル３の周縁部と開口部２ａの内壁との境界部からタッチパネル３の背面およびＦＰＣ４を伝って回路基板８まで回り込んでしまう可能性がある。この場合、静電気によって回路基板８に実装された電子部品やＦＰＣ４に実装されたＩＣなどが破壊される。
【００１５】
そこで、この発明では、フロントシャーシの形状を改良することにより、タッチパネル３のタッチ面上で発生した静電気がＦＰＣ４を伝って回り込むことを防止している。
図５は、この発明の実施の形態１に係る表示装置のフロントシャーシを示す斜視図である。また、図６は、図１のＡ−Ａ線で切った実施の形態１に係る表示装置におけるフロントパネルとタッチパネルとの境界部の周辺の断面矢示図である。この発明に係る表示装置のフロントシャーシ１０には、図５に示すように、組み付け時にタッチパネル３の背面側に向けて突出する突出部１０ａが形成されている。
【００１６】
突出部１０ａは、タッチパネル３の背面側に向けてフロントシャーシ１０から延設され、図６（ａ）に示すように、ＦＰＣ４よりもタッチパネル３の周縁部と意匠パネル２の開口部との境界部に近い位置まで突出している。なお、フロントシャーシ１０は、接地されているため、この突出部１０ａも接地電位となっている。
タッチパネル３のタッチ面上で発生した静電気は、図６（ｂ）の矢印ｂで示すように、タッチパネル３の背面を伝わるが、突出部１０ａがＦＰＣ４よりも境界部に近い位置まで突出しているため、ＦＰＣ４に伝わる前に突出部１０ａで接地される。
これにより、静電気が、ＦＰＣ４を介して内部の電子部品（例えば、ＦＰＣ４に実装されたＩＣ）に伝わることを防止できる。
【００１７】
なお、図５に示すように、突出部１０ａを、ＦＰＣ４よりも幅広の板状部としてもよい。例えば、フロントシャーシ１０から延出したＦＰＣ４よりも幅広の板状部を、タッチパネル３の背面側に向けて折り曲げて突出部１０ａを形成する。このように構成することで、ＦＰＣ４の幅方向から静電気が伝わることを防止でき、静電気がＦＰＣ４を介して内部の電子部品に伝わることを防止できる。
【００１８】
以上のように、この実施の形態１によれば、開口部２ａを有する意匠パネル２と、開口部２ａから表示面が臨む表示パネル６と、表示パネル６の表示面上に配置されて、周縁部にＦＰＣ４が接続されたタッチパネル３と、表示パネル６の背面側に接地されて組み付けられるフロントシャーシ１０と、タッチパネル３の背面側に向けてフロントシャーシ７から延設され、ＦＰＣ４よりもタッチパネル３の周縁部と意匠パネル２の開口部２ａとの境界部に近い位置まで突出した突出部１０ａとを備える。このように構成することで、タッチ面で発生した静電気が突出部１０ａで接地され、静電気がＦＰＣ４を介して内部の電子部品（例えば、ＦＰＣ４に実装されたＩＣ）に伝わることを防止できる。
【００１９】
また、この実施の形態１によれば、突出部１０ａが、ＦＰＣ４よりも幅広の板状部であるので、ＦＰＣ４の幅方向から静電気が伝わることを防止でき、静電気がＦＰＣ４を介して内部の電子部品に伝わることを防止できる。
【００２０】
なお、本発明はその発明の範囲内において、実施の形態の任意の構成要素の変形、もしくは実施の形態の任意の構成要素の省略が可能である。
【符号の説明】
【００２１】
１  電子機器、２  意匠パネル、２ａ  開口部、３  タッチパネル、４  ＦＰＣ、５  板金フレーム、６  表示パネル、７  板金ホルダ、８  回路基板、９  ＦＰＣホルダ、１０  フロントシャーシ、１０ａ  突出部。
【図１】
2014235512.tif 000003
【図２】
2014235512.tif 000004
【図３】
2014235512.tif 000005
【図４】
2014235512.tif 000006
【図５】
2014235512.tif 000007
【図６】
2014235512.tif 000008